(57)【要約】【課題】チューブを保護するカバーの摩耗を抑制することができる記録装置を提供する。【解決手段】記録装置１１は、液体を用いて媒体Ｓに記録を行う記録ヘッド３５と、記録ヘッド３５に液体を供給する撓み変位可能なチューブ２０と、チューブ２０を覆うとともにチューブ２０に追従して撓み変位するカバー２１と、カバー２１と接する位置に突出する突出部２３と、カバー２１と突出部２３との接触により生じる摩擦力を低減する摩擦低減部２４と、を備える。【選択図】図４
2017222035.tif 000002
【特許請求の範囲】
【請求項１】
液体を用いて媒体に記録を行う記録ヘッドと、
前記記録ヘッドに液体を供給する撓み変位可能なチューブと、
前記チューブを覆うとともに前記チューブに追従して撓み変位するカバーと、
前記カバーと接する位置に突出する突出部と、
前記カバーと前記突出部との接触により生じる摩擦力を低減する摩擦低減部と、
を備える
ことを特徴とする記録装置。
【請求項２】
前記突出部は、前記チューブが撓み変位する空間に面する壁面に突設されたリブであり、
前記摩擦低減部は前記壁面に回動自在に設けられた回動体である
ことを特徴とする請求項１に記載の記録装置。
【請求項３】
前記突出部と前記摩擦低減部は、前記チューブが撓み変位する空間に面する壁面に並んで配置され、
前記壁面からの突出長さは、前記突出部よりも前記摩擦低減部の方が長い
ことを特徴とする請求項１または請求項２に記載の記録装置。
【請求項４】
前記記録ヘッドを保持して往復移動するキャリッジを備え、
前記キャリッジには、直径が異なる複数の前記チューブとして、直径が最も大きい大径チューブと、前記大径チューブよりも直径が小さい小径チューブとが並列に接続され、
前記チューブが撓み変位する空間に面する壁面には、前記突出部として、前記カバーを介して前記大径チューブから反力を受ける第１突出部と、前記カバーを介して前記小径チューブから反力を受ける第２突出部と、が突設され、
前記第１突出部は、前記第２突出部よりも突出長さが短い
ことを特徴とする請求項１から請求項３のうちいずれか一項に記載の記録装置。
【請求項５】
前記記録ヘッドを保持して往復移動するキャリッジを備え、
前記キャリッジには、直径が異なる複数の前記チューブとして、直径が最も大きい大径チューブと、前記大径チューブよりも直径が小さい小径チューブとが並列に接続され、
前記チューブが撓み変位する空間に面する壁面には、前記突出部として、前記カバーを介して前記大径チューブから反力を受ける第１突出部と、前記カバーを介して前記小径チューブから反力を受ける第２突出部と、が突設され、
前記チューブが並ぶ方向における長さは、前記第２突出部よりも前記第１突出部の方が長い
ことを特徴とする請求項１から請求項４のうちいずれか一項に記載の記録装置。
【発明の詳細な説明】
【技術分野】
【０００１】
本発明は、プリンターなどの記録装置に関する。
【背景技術】
【０００２】
記録装置の一例として、記録ヘッドの往復移動に伴って撓み変位するインクチューブが他の部材と衝突しないように、他の部材に緩衝部としてのリブを突設するとともにインクチューブをシート状のカバーで覆い、カバーがリブに接触するように構成したインクジェット式のプリンターがある（例えば、特許文献１）。
【先行技術文献】
【特許文献】
【０００３】
【特許文献１】特開２０１３−１６６３２８号公報
【発明の概要】
【発明が解決しようとする課題】
【０００４】
ところで、インクチューブのカバーがリブに繰り返し摺接すると、カバーのリブに接触する部分が摩耗してしまう、という課題がある。このような課題は、インクを噴射して印刷を行うプリンターに限らず、撓み変位するチューブを保護するカバーが他の部材に接触することのある記録装置においては、概ね共通したものとなっている。
【０００５】
本発明は、こうした実情に鑑みてなされたものであり、その目的は、チューブを保護するカバーの摩耗を抑制することができる記録装置を提供することにある。
【課題を解決するための手段】
【０００６】
以下、上記課題を解決するための手段及びその作用効果について記載する。
上記課題を解決する記録装置は、液体を用いて媒体に記録を行う記録ヘッドと、前記記録ヘッドに液体を供給する撓み変位可能なチューブと、前記チューブを覆うとともに前記チューブに追従して撓み変位するカバーと、前記カバーと接する位置に突出する突出部と、前記カバーと前記突出部との接触により生じる摩擦力を低減する摩擦低減部と、を備える。
【０００７】
この構成によれば、カバーと突出部との接触により生じる摩擦力を摩擦低減部が低減することにより、突出部との接触に伴ってカバーにかかる負荷を小さくすることができる。したがって、チューブを保護するカバーの摩耗を抑制することができる。
【０００８】
上記記録装置において、前記突出部は、前記チューブが撓み変位する空間に面する壁面に突設されたリブであり、前記摩擦低減部は前記壁面に回動自在に設けられた回動体である。
【０００９】
この構成によれば、摩擦低減部は回動自在な回動体であるので、カバーが接触したときに回転することにより、固定配置された突出部であるリブよりも、接触により生じる摩擦力が小さくなる。したがって、接触によりカバーにかかる負荷を小さくして、カバーの摩耗を抑制することができる。
【００１０】
上記記録装置において、前記突出部と前記摩擦低減部は、前記チューブが撓み変位する空間に面する壁面に並んで配置され、前記壁面からの突出長さは、前記突出部よりも前記摩擦低減部の方が長い。
【００１１】
この構成によれば、摩擦低減部は突出部よりも壁面からの突出長さが長いので、壁面にチューブを覆うカバーが近づくと、突出部よりも摩擦低減部の方が優先的にカバーに接触する。このため、接触によりカバーに作用する摩擦力を低減することができる。
【００１２】
上記記録装置は、前記記録ヘッドを保持して往復移動するキャリッジを備え、前記キャリッジには、直径が異なる複数の前記チューブとして、直径が最も大きい大径チューブと、前記大径チューブよりも直径が小さい小径チューブとが並列に接続され、前記チューブが撓み変位する空間に面する壁面には、前記突出部として、前記カバーを介して前記大径チューブから反力を受ける第１突出部と、前記カバーを介して前記小径チューブから反力を受ける第２突出部と、が突設され、前記第１突出部は、前記第２突出部よりも突出長さが短い。
【００１３】
この構成によれば、カバーを介して大径チューブから反力を受ける第１突出部の突出長さを短くすることにより、大径チューブと第１突出部に挟まれるカバーに作用する反力を低減することができる。
【００１４】
上記記録装置において、前記記録ヘッドを保持して往復移動するキャリッジを備え、前記キャリッジには、直径が異なる複数の前記チューブとして、直径が最も大きい大径チューブと、前記大径チューブよりも直径が小さい小径チューブとが並列に接続され、前記チューブが撓み変位する空間に面する壁面には、前記突出部として、前記カバーを介して前記大径チューブから反力を受ける第１突出部と、前記カバーを介して前記小径チューブから反力を受ける第２突出部と、が突設され、前記チューブが並ぶ方向における長さは、前記第２突出部よりも前記第１突出部の方が長い。
【００１５】
この構成によれば、大径チューブと第１突出部に挟まれるカバーに作用する反力を分散させて、カバーの摩耗を抑制することができる。
【図面の簡単な説明】
【００１６】
【図１】記録装置の一実施形態を示す斜視図。
【図２】図１の記録装置の内部構造を模式的に示す斜視図。
【図３】図１の記録装置が備えるキャリッジとチューブを示す斜視図。
【図４】図１の記録装置が備える突出部及び摩擦低減部を示す正面図。
【図５】図４の突出部及び摩擦低減部が突設された画像読取装置の底面図。
【図６】摩擦低減部の変更例を示す画像読取装置の底面図。
【図７】突出部の第１変更例を示す断面図。
【図８】突出部の第２変更例を示す断面図。
【図９】突出部の第３変更例を示す画像読取装置の底面図。
【図１０】突出部の第４変更例を示す画像読取装置の底面図。
【図１１】突出部の第５変更例を示す画像読取装置の底面図。
【発明を実施するための形態】
【００１７】
以下、記録装置の実施形態について、図を参照して説明する。記録装置は、例えば、用紙などの媒体に液体の一例であるインクを用いて記録（印刷）を行うインクジェット式のプリンターである。
【００１８】
図１に示すように、記録装置１１は、媒体Ｓに対して記録を行う記録ユニット１２と、記録ユニット１２の上に重ねて配置される画像読取ユニット１３とを備える複合機である。画像読取ユニット１３は、原稿Ｐに記録されている文字や画像を読み取る画像読取装置１４と、原稿Ｐを押さえる押さえ板１５と、を備えるスキャナーである。画像読取ユニット１３は、押さえ板１５に代えて、画像読取装置１４に向けて自動的に原稿Ｐを給送する給送装置を備えるものであってもよい。
【００１９】
記録ユニット１２は、画像読取ユニット１３の下方に配置される筐体１６と、筐体１６の側方に取り付けられた液体収容体保持部１７と、を備える。記録ユニット１２において、記録を行った媒体Ｓが筐体１６から排出される側を前側とすると、画像読取ユニット１３は、記録ユニット１２の後側を中心に回動可能な態様で、筐体１６と連結されている。
【００２０】
図２に示すように、液体収容体保持部１７には、液体を収容する液体収容体１８が複数（本実施形態では４つ）保持されている。本実施形態の４つの液体収容体１８は、それぞれ異なる種類の液体（例えば、３色のカラーインクとブラックインク）を収容する。液体収容体１８は、着脱交換によって液体を補給するカートリッジであってもよいし、液体を注入することで補給するタンクであってもよい。
【００２１】
液体収容体１８には、液体を供給するためのチューブ２０の上流端が接続されている。チューブ２０は、液体収容体１８の数と対応して複数（本実施形態においては４本）設けられている。４本のチューブ２０は、筐体１６の前側に集められ、前後方向に並列に並んだ状態で筐体１６内に引き入れられる。
【００２２】
例えばブラックインクを供給するチューブ２０など、複数のチューブ２０のうち一部のチューブ２０について、単位時間あたりの液体供給量を他のチューブ２０より多くしたい場合、そのチューブ２０だけ直径を大きくしてもよい。例えば、本実施形態では、直径が異なる複数のチューブ２０として、直径が最も大きい大径チューブ２０Ｂをブラックインクに割り当て、その大径チューブ２０Ｂよりも直径が小さい小径チューブ２０Ｃをカラーインクに割り当てている。そして、チューブ２０が並ぶ方向を幅方向Ｄ１とすると、大径チューブ２０Ｂが幅方向Ｄ１の端（例えば後側の端）に位置するように、３つの小径チューブ２０Ｃと並列に並べている。
【００２３】
筐体１６内には、液体収容体保持部１７側から引き入れられたチューブ２０を支える長尺の支持板３１と、支持板３１と実質的に平行をなすように配置されるガイド板３２と、ガイド板３２に沿って往復移動するキャリッジ３３と、が収容されている。筐体１６の前側上部には開口１６ａが設けられている。キャリッジ３３が往復移動する空間は、画像読取装置１４の下方に位置し、画像読取ユニット１３の回動により、開口１６ａを通じて外部に露出する。すなわち、画像読取装置１４は、筐体１６に設けられた開口１６ａを覆う蓋として機能する。
【００２４】
ガイド板３２の長手方向の一方側（例えば、液体収容体保持部１７が配置された側）をホーム側とし、その反対側を反ホーム側とすると、キャリッジ３３はホーム側を移動の始端として、反ホーム側への往路移動とホーム側への復路移動とを交互に行う。図２において、キャリッジ３３は、移動の始端となるホーム位置に配置されている。
【００２５】
複数のチューブ２０は、支持板３１に沿って前後方向に並列した状態でホーム側から反ホーム側に向けて延設され、キャリッジ３３の移動領域の中央付近で上向きに湾曲し、支持板３１の上方でホーム側に向けて延設方向が反転される。そして、反転された複数のチューブ２０は、ホーム側に向けて延設され、キャリッジ３３に前側から接続される。
【００２６】
ここで、複数のチューブ２０のうち、支持板３１に沿って反ホーム側に向けて直線状に配置される部分を固定延設部２０ｎとし、延設方向を反転させるために上向きに湾曲した部分を湾曲部２０ｒとし、支持板３１の上方でホーム側に向けて直線状に配置される部分を可動延設部２０ｍとする。また、固定延設部２０ｎの延びる方向であって、幅方向Ｄ１と交差（好ましくは直交）する方向を延設方向Ｄ２という。
【００２７】
固定延設部２０ｎは固定具３４により支持板３１に固定されている。キャリッジ３３がガイド板３２に沿って往復移動すると、複数のチューブ２０は揃って撓み変位する。例えば、キャリッジ３３がホーム側から往路移動すると、湾曲部２０ｒが直線状に延びて支持板３１の上に配置されていき、それにつれて可動延設部２０ｍが反ホーム側から湾曲部２０ｒを形成していく。また、キャリッジ３３が反ホーム側から復路移動すると、可動延設部２０ｍの長さが徐々に増していく。
【００２８】
図３に示すように、キャリッジ３３は記録ヘッド３５を保持している。記録ヘッド３５は、液体を噴射する複数のノズル３６を有し、チューブ２０を通じて供給された液体をノズル３６から噴射することで、媒体Ｓに記録を行う。このとき、媒体Ｓは、記録ヘッド３５の移動方向と交差（好ましくは、直交）する方向（本実施形態では前方）に向けて搬送される。すなわち、本実施形態において、延設方向Ｄ２はキャリッジ３３の移動方向に沿う方向であり、幅方向Ｄ１は記録を行うときの媒体Ｓの搬送方向に沿う方向である。
【００２９】
チューブ２０が撓み変位する空間の上には、画像読取装置１４の底面となる壁面１４ａが存在する。チューブ２０がキャリッジ３３の移動に伴って繰り返し壁面１４ａに摺接すると、チューブ２０が摩耗してしまうため、記録装置１１は、チューブ２０を保護するためのカバー２１を備える。カバー２１は、チューブ２０のうち、少なくとも湾曲部２０ｒ及び湾曲部２０ｒとなりうる可動延設部２０ｍを含む部分を、湾曲の外縁側から覆い、チューブ２０の撓み変位に追従して撓み変位する。本実施形態のカバー２１は、複数のチューブ２０を覆うシート状をなす。なお、図２では、チューブ２０の構成を明示するため、カバー２１の図示を省略している。
【００３０】
すなわち、記録装置１１は、液体を用いて媒体Ｓに記録を行う記録ヘッド３５と、記録ヘッド３５に液体を供給する撓み変位可能なチューブ２０と、チューブ２０を覆うカバー２１と、を備える。
【００３１】
図４に示すように、チューブ２０が撓み変位する空間に面する壁面１４ａには、カバー２１と接する位置に、突出部２３と摩擦低減部２４が並んで配置される。突出部２３は、例えばチューブ２０の延設方向Ｄ２に沿って延びるように壁面１４ａに突設された線状のリブである。摩擦低減部２４は、壁面１４ａに回動自在に支持されたコロなどの回動体である。回転体からなる摩擦低減部２４は、接触するカバー２１の移動に伴って回転するので、カバー２１が接触したときに生じる摩擦力が突出部２３よりも小さい。
【００３２】
ここで、図４に二点鎖線で示すように、キャリッジ３３が移動の過程で最も反ホーム側（図４では左側）に近づくと、チューブ２０はキャリッジ３３に引っ張られて支持板３１上に延びる部分が長くなる一方で、湾曲部２０ｒ及び可動延設部２０ｍが短くなる。この位置からキャリッジ３３がホーム側（図４では右側）に向けて移動すると、図４に実線で示すように、チューブ２０に緩みが生じ、湾曲部２０ｒが上側に拡がる。
【００３３】
その結果、チューブ２０を覆うカバー２１の突出部２３に対する接触圧が高くなる。突出部２３は、キャリッジ３３の移動に伴ってカバー２１が接触する可能性がある領域に配置され、摩擦低減部２４は、その領域のうち、特にカバー２１の接触圧が高くなる位置に配置される。すなわち、摩擦低減部２４は、突出部２３よりもカバー２１との接触圧が高い位置に配置することが好ましい。カバー２１が摩擦低減部２４に接触しやすくなるように、壁面１４ａからの突出長さは、突出部２３よりも摩擦低減部２４の方が長くなるように設定するとよい。
【００３４】
なお、キャリッジ３３が移動の過程で最もホーム側に近づくと、チューブ２０はキャリッジ３３に引っ張られて可動延設部２０ｍが長くなる。すると、可動延設部２０ｍ及びその内部の液体の重みで湾曲部２０ｒが上側に拡がりにくくなるので、カバー２１の突出部２３への接触圧はそれほど高くならない。また、可動延設部２０ｍが長くなるのに伴って、カバー２１の突出部２３への接触面積が増える。
【００３５】
そのため、チューブ２０を覆うカバー２１は、ホーム側に近い位置では、壁面１４ａまたは突出部２３に接触しにくいし、接触したとしても、その接触圧は低い。すなわち、キャリッジ３３の移動領域の中央付近（特に、中央よりやや反ホーム側寄りの領域）において、チューブ２０を覆うカバー２１が上側に拡がり、突出部２３に対する接触圧が高くなる。したがって、キャリッジ３３の移動領域の両端部分を除いた中央付近の領域（特に、中央よりやや反ホーム側寄りの領域）に、摩擦低減部２４を配置するとよい。
【００３６】
図５に示すように、突出部２３は延設方向Ｄ２に延びる線状のリブとして、幅方向Ｄ１に並ぶ態様で複数（２列）設けられている。また、摩擦低減部２４は、延設方向Ｄ２に延びる突出部２３の一部を切り欠いた部分に配置される。本実施形態では、一例として、突出部２３と延設方向Ｄ２に並ぶ位置に２つずつと、幅方向Ｄ１において２列の突出部２３に挟まれた位置に１つ、摩擦低減部２４としての回転体であるコロを配置している。このように、摩擦低減部２４は、必ずしも突出部２３と延設方向Ｄ２に並ぶ位置になくてもよい。
【００３７】
次に、以上のように構成された記録装置１１の作用について説明する。
記録ヘッド３５がノズル３６から液体を噴射するとき、記録に必要な液滴の他に、意図しない微細なミストが生じる。こうしたミストがカバー２１に付着して堆積していくと、カバー２１が壁面１４ａに貼り付いて、キャリッジ３３が移動しにくくなったり、移動速度が変化したりして、液滴の着弾位置がずれてしまうおそれがある。そのため、壁面１４ａに突出部２３を設けることにより、カバー２１の接触面積を小さくして、カバー２１の貼り付きを抑制することができる。
【００３８】
ところが、突出部２３を設けると、カバー２１が突出部２３と繰り返し摺接することにより、カバー２１が摩耗しやすくなる。特に、キャリッジ３３の移動に伴って、チューブ２０とともにカバー２１が上方に大きく撓む箇所では、カバー２１の突出部２３に対する接触圧が高くなるため、より摩耗しやすい。その点、本実施形態では、カバー２１の接触圧が高くなる位置に、摩擦力が突出部２３よりも小さい摩擦低減部２４を配置しているので、カバー２１の摩耗を抑制することができる。
【００３９】
上記実施形態によれば、以下のような効果を得ることができる。
（１）カバー２１と突出部２３との接触により生じる摩擦力を摩擦低減部２４が低減することにより、突出部２３との接触に伴ってカバー２１にかかる負荷を小さくすることができる。したがって、チューブ２０を保護するカバー２１の摩耗を抑制することができる。
【００４０】
（２）摩擦低減部２４は回動自在な回動体であるので、カバー２１が接触したときに回転することにより、固定配置された突出部２３であるリブよりも、接触により生じる摩擦力が小さくなる。したがって、接触によりカバー２１にかかる負荷を小さくして、カバー２１の摩耗を抑制することができる。
【００４１】
（３）摩擦低減部２４は突出部２３よりも壁面１４ａからの突出長さが長いので、壁面１４ａにチューブ２０を覆うカバー２１が近づくと、突出部２３よりも摩擦低減部２４の方が優先的にカバー２１に接触する。このため、接触によりカバー２１に作用する摩擦力を低減することができる。
【００４２】
なお、上記実施形態は以下に示す変更例のように変更してもよい。また、上記実施形態と下記変更例とは、任意に組み合わせてもよい。
・図６に示すように、摩擦低減部２４は、幅方向Ｄ１に並ぶ複数の突出部２３にまたがるように回転軸２４ａ及び外周面２４ｂが幅方向Ｄ１に延びるとともに、突出部２３と延設方向Ｄ２に並ぶ部分に、外周面２４ｂより一段高いローラー部２４ｃが突出する段付きローラーであってもよい。
【００４３】
・図７に示すように、チューブ２０が撓み変位する空間に面する壁面１４ａに、突出部２３として、カバー２１を介して大径チューブ２０Ｂから反力を受ける第１突出部２３Ｂと、カバー２１を介して小径チューブ２０Ｃから反力を受ける第２突出部２３Ｃとを突設してもよい。この場合、チューブ２０が並ぶ幅方向Ｄ１における長さは、第２突出部２３Ｃよりも第１突出部２３Ｂの方を長くする（すなわち、幅広くする）ことが好ましい。
【００４４】
この構成によれば、大径チューブ２０Ｂと第１突出部２３Ｂに挟まれるカバー２１に作用する反力を分散させて、カバー２１の摩耗を抑制することができる。
・図８に示すように、チューブ２０が撓み変位する空間に面する壁面１４ａに、突出部２３として、カバー２１を介して大径チューブ２０Ｂから反力を受ける第１突出部２３Ｂと、カバー２１を介して小径チューブ２０Ｃから反力を受ける第２突出部２３Ｃとを突設してもよい。この場合、第１突出部２３Ｂは第２突出部２３Ｃよりも壁面１４ａからの突出長さを短くすることが好ましい。
【００４５】
この構成によれば、カバー２１を介して大径チューブ２０Ｂから反力を受ける第１突出部２３Ｂの突出長さを短くすることにより、大径チューブ２０Ｂと第１突出部２３Ｂに挟まれるカバー２１に作用する反力を低減することができる。なお、図８に示す突出長さの短い第１突出部２３Ｂを、図７に示す第１突出部２３Ｂのように幅広くしてもよい。
【００４６】
・図９に示すように、壁面１４ａにおいて中央（固定具３４がある位置）より反ホーム側（図９では左側）に位置する領域Ｆは、カバー２１の壁面１４ａに対する接触圧が高くなるので、この領域Ｆに配置する突出部２３の数を増やしてもよい。
【００４７】
・図１０に示すように、突出部２３として、カバー２１の壁面１４ａに対する接触圧が高くなる領域Ｆに、延設方向Ｄ２に延びる直線リブ２３ｓと斜めに交差する傾斜リブ２３ｍを設けてもよい。
【００４８】
・図１１に示すように、壁面１４ａにおいてカバー２１の壁面１４ａに対する接触圧が高くなる領域Ｆにおいて、突出部２３としての直線リブ２３ｓを複数（例えば２つ）に分岐させた分岐リブ２３ｎを設けてもよい。
【００４９】
・図９〜図１１に示すように、カバー２１の壁面１４ａに対する接触圧が高くなる領域Ｆ（摩擦低減部２４を配置する領域）は、チューブ２０の配置等に応じて、変更することができる。なお、図９〜図１１においては、摩擦低減部２４の図示を省略して、突出部２３の配置を例示している。
【００５０】
・摩擦低減部２４は、必ずしも壁面１４ａに設けなくてもよく、例えばカバー２１の表面またはチューブ２０の外側に設けてもよい。この場合、摩擦低減部２４は回転体でなくてもよく、例えばカバー２１よりも摩擦の小さいシールまたは半円球状の部材などを摩擦低減部としてカバー２１に張り付けてもよい。
【００５１】
・カバー２１は一枚のシートからなるものに限らず、一または複数のチューブ２０毎に幅方向Ｄ１に並ぶ複数のシートであってもよいし、網状をなしてチューブ２０を周方向に囲むものであってもよいし、チューブ２０を周方向に囲むように所定の間隔で配置された複数の環状の枠体であってもよい。この場合、幅方向Ｄ１または延設方向Ｄ２に並ぶカバー２１の隙間に、コロまたは半円球状の部材などの摩擦低減部２４を設けてもよい。
【００５２】
・突出部２３は、線状のリブに限らず、所定の間隔で壁面１４ａに突設された多数のボスまたは点状の突起（点シボパターン）であってもよい。
・記録装置１１は、画像読取ユニット１３に代えて、例えば媒体Ｓを自動的に給送する自動給紙装置または開口１６ａを開閉可能に覆う蓋体を備えてもよい。
【００５３】
・チューブ２０は、固定延設部２０ｎと可動延設部２０ｍが上下に並ぶ態様で湾曲するものに限らず、固定延設部２０ｎと可動延設部２０ｍが前後に並ぶ態様でチューブ２０を湾曲させてもよい。この場合、固定延設部２０ｎと可動延設部２０ｍの何れが前側に配置されてもよい。この場合には、壁面１４ａは画像読取装置１４の底面ではなく、筐体１６内の他の部材により構成される。すなわち、壁面１４ａを構成するのは、回動する画像読取装置１４または開口１６ａを開閉可能に覆う蓋体に限らず、固定された部材でもよい。
【００５４】
・液体収容体保持部１７は、筐体１６の外に配置されるものに限らず、筐体１６の内部に配置されていてもよい。また、液体収容体保持部１７に保持される液体収容体１８は、前後方向（幅方向Ｄ１）に並ぶ態様で配置するものに限らず、延設方向Ｄ２に並ぶ態様で配置してもよい。
【００５５】
・液体噴射部が噴射する液体はインクに限らず、例えば機能材料の粒子が液体に分散又は混合されてなる液状体などであってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して記録を行う構成にしてもよい。
【００５６】
・媒体Ｓは用紙に限らず、プラスチックフィルムや薄い板材などでもよいし、捺染装置などに用いられる布帛であってもよい。また、媒体Ｓは所定のサイズに切断された単票でなくてもよく、例えば円筒状に巻かれたロール状の媒体であってもよいし、Ｔシャツなど、任意の形状の衣類等であってもよいし、食器または文具のような任意の形状の立体物であってもよい。
【符号の説明】
【００５７】
１１…記録装置、１２…記録ユニット、１３…画像読取ユニット、１４…画像読取装置、１４ａ…壁面、１５…押さえ板、１６…筐体、１６ａ…開口、１７…液体収容体保持部、１８…液体収容体、２０…チューブ、２０Ｂ…大径チューブ、２０Ｃ…小径チューブ、２０ｍ…可動延設部、２０ｎ…固定延設部、２０ｒ…湾曲部、２１…カバー、２３…突出部、２３Ｂ…第１突出部、２３Ｃ…第２突出部、２３ｍ…傾斜リブ、２３ｎ…分岐リブ、２３ｓ…直線リブ、２４…摩擦低減部、２４ａ…回転軸、２４ｂ…外周面、２４ｃ…ローラー部、３１…支持板、３２…ガイド板、３３…キャリッジ、３４…固定具、３５…記録ヘッド、３６…ノズル、Ｆ…領域、Ｐ…原稿、Ｓ…媒体、Ｄ１…幅方向、Ｄ２…延設方向。
【図１】
2017222035.tif 000003
【図２】
2017222035.tif 000004
【図３】
2017222035.tif 000005
【図４】
2017222035.tif 000006
【図５】
2017222035.tif 000007
【図６】
2017222035.tif 000008
【図７】
2017222035.tif 000009
【図８】
2017222035.tif 000010
【図９】
2017222035.tif 000011
【図１０】
2017222035.tif 000012
【図１１】
2017222035.tif 000013